(57)【要約】      （修正有）【課題】簡単で且つ安全迅速にトレーラーハウスのコンテナを地面に固定設置できるトレーラーハウスの支持束を提供する。【解決手段】支持束７を、ツイストロック式の緊締部９を有する支柱ホルダー１０と、支柱ホルダー内を上下動自在に可動する全長に渡って螺子が刻設された支柱１２とから構成する。コンテナ本体のアンダーフレーム１ａの隅金具８のジョイント孔８ａに、緊締部９の挿嵌パイプ９ａに十字状に配置形成されたロックバー９ｂを挿入した後、支柱ホルダーを９０度鉛直方向に回動して緊締する。【選択図】図３
0003229482.tif 000002
【実用新案登録請求の範囲】
【請求項１】
トレーラーハウスのコンテナ本体の角隅に設けられた隅金具のジョイント孔に挿通可能なツイストロック緊締部と、上下動自在に可動するジャッキ部とから構成したことを特徴とするトレーラーハウス用支持束。
【請求項２】
緊締部が、隅金具のジョイント孔に挿入可能で、挿入した後、直角（９０度）方向に回動させることで、ジョイント孔の金具辺縁にその両端部が係止されるロックバーと、このロックバーを回動させるためのアーム部とから構成されることを特徴とする請求項１記載のトレーラーハウス用支持束。
【請求項３】
アーム部が、上下動自在に可動するジャッキ部を有する支柱が内蔵された支柱ホルダーであることを特徴とする請求項１又は請求項２記載のトレーラーハウス用支持束。
【考案の詳細な説明】
【技術分野】
【０００１】
本考案は、遊休地、駐車場、被災地、などの空きスペースにトレーラーハウスを設置固定するための支持束に関するものである。
【背景技術】
【０００２】
予め工場で内装や外装が仕上げられたトレーラーハウスは、運搬された現場の地面に床面水平に設置することにより据え付けられる。  
【０００３】
例えば、特許文献１に示すような軽易な物置の固定は、建築用コンクリートブロックに形成されている貫通孔を利用して、床面パネルのボスと貫通孔に遊挿したステイを固着することで行われる。  
【０００４】
しかしながら、トレーラーハウスのコンテナ部（以下、単にコンテナと称する）は、高度な居住性能や耐震性能を必要とするため、地面に設置する場合、コンクリート基礎を布設し、且つ、アンカーボルトをコンクリートに埋設し、コンクリートが固化した後、アンカーボルトに締結させる方法を採用することが好ましいが、設置面は必ずしも水平面に整地されていない場所での仮設住居等の短期間の使用や一時的な商用施設として使用する場合、また、使用後の撤収や再移動を考慮して、ジャッキ式の支持束が一般的に使用されている（特許文献２参照。）。  
【０００５】
そもそも、トレーラーハウスで使用される商用コンテナの各角隅には、コンテナ同士の連結、運搬する際の輸送車に連結された運搬用シャーシーへの載置に際し、ボルト・ナット等で緊締固定するためのジョイント孔が形成された隅金具が設けられている。つまり、このジョイント孔に支持ジャッキを締結して支持束として使用する場合、ジョイント孔に既存のボルトを挿通させてナット締めして支持ジャッキを固定する必要がある。
【先行技術文献】
【特許文献】
【０００６】
【特許文献１】特開平３−７８８５３号公報
【特許文献２】特開２０２０−５９３２１号公報
【考案の概要】
【考案が解決しようとする課題】
【０００７】
しかしながら、こうしたボルト・ナットによる支持ジャッキの固定は、非常に手間がかかり作業性が劣るばかりでなく、作業の危険度が高く、締結後の支持力にも不安が残る。本考案は、簡単で且つ安全迅速にトレーラーハウスのコンテナを地面に固定設置できるトレーラーハウスの支持束を提供することを目的とする。
【課題を解決するための手段】
【０００８】
このため本考案のトレーラーハウスの支持束は、トレーラーハウスのコンテナ本体の角隅に設けられた隅金具のジョイント孔に挿通可能なツイストロック緊締部と、上下動自在に可動するジャッキ部とから構成したことを第１の特徴とする。また、緊締部が、隅金具のジョイント孔に挿入可能で、挿入した後、直角（９０度）方向に回動させることで、ジョイント孔の金具辺縁にその両端部が係止されるロックバーと、このロックバーを回動させるためのアームとから構成されることを第２の特徴とする。さらに、アームが、上下動自在に可動するジャッキ部を有する支柱が内蔵された支柱ホルダーであることを第３の特徴とする。
【考案の効果】
【０００９】
本考案によれば、以下の優れた効果がある。（１）コンテナを地面に着脱可能に設置するための支持束にツイストロック緊締部を設けたことにより、地面に固定する場合、コンクリート基礎等を敷設する必要がないため、設置面形状による制約を受け難く、省労力かつ迅速確実に作業できる。（２）建物の解体が不要で、地面との固定の解除も容易で且つ短時間で行うことができ、コンテナの撤収や移動を安全かつ容易に行うことができる。
【図面の簡単な説明】
【００１０】
【図１】本考案に係るトレーラーハウスの一実施例を示す斜視図である。
【図２】本考案に係る支持束の構成を示す要部斜視図である。
【図３】本考案に係る支持束の取付け方法を示す要部斜視図である。
【図４】支持束の固定状態を示す要部斜視図である。
【図５】トレーラーハウスのコンテナの下部角隅に支持束を取付けた状態を示す斜視図である。
【考案を実施するための形態】
【００１１】
以下、本考案の一実施形態を図面に基づき説明する。
【実施例】
【００１２】
図１に示すように、１は貨物等の輸送用コンテナを改造したトレーラーハウス（以下、コンテナ本体１という）であり、本実施例で使用するコンテナ本体１は、トラック車両による移送あるいは船舶による海上移送で使用されている標準規格化された市販のものである。  
【００１３】
本実施例に係るトレーラーハウスのコンテナ本体１は、例えば、一方に長い直方体状の鋼鉄等の金属製構造体で、その前後には出入口２及びその扉３が設けられ、側面壁には窓４が設けられている。こうした窓４を設けることで居室としての閉塞感が薄らぎ、利用者の安心度が向上すると共に防犯にも役立つ。無論、出入口２及び３と窓４は必要に応じて適宜設ければ良い。また、出入口２の足元に踏台を配置することや扉３を施錠可能にすることも任意である。  
【００１４】
居室として使用するコンテナ本体１内部には、例えば、テーブル５やソファー６が配置されている。また、使用目的に応じて内部をパーテーションや隔壁、カーテン等で仕切とか所用目的又は居住者の嗜好に応じて各種内装を施すことができる。  
【００１５】
トレーラーハウスのコンテナ本体１の８つの角隅には市販のコンテナ規格で設けられた隅金具８が設けられている。通常、この隅金具８はコンテナ同士の連結、あるいは運搬車両の牽引用シャーシー（図示せず）との連結に使用される。  
【００１６】
図２に、コンテナ本体１を地面に固定するための金属製の支持束７を示す。この支持束７は、隅金具８のジョイント孔８ａに挿通可能なツイストロック式の緊締部９を有する支柱ホルダー１０と、当該支柱ホルダー１０内を上下動自在に可動する全長に渡って螺子が刻設された支柱１２を有する。支柱１２下端には底板１２ａが取り付けられ、ジャッキハンドル１１の操作によりジャッキアップ及びジャッキダウンを行う。すなわち、コンテナ本体１の床面の高さ調整を行うことができるようにされている。  
【００１７】
支柱ホルダー１０は、ジャッキ部１１がその内部に固着される凹条のチャンネル鋼１０ｂの開口側面を補強板１０ａで塞いで上下が開放された箱状に構成されており、補強板１０ａには後述するツイストロック式の緊締部９と、支持束７が立設した状態で収納固定される。さらに、補強板１０ａの上部側にはコンテナ本体１のアンダーフレーム１ａの上辺に係合して廻り止めとなるリップ係止板１３が接合されている。  
【００１８】
図３及び図４に示すように、支持束７は、コンテナ本体１のアンダーフレーム１ａの四隅の隅金具８に固着される。隅金具８のジョイント孔８ａは規格で定められたサイズの縦向に長い楕円形状の長穴で、このジョイント孔８ａに、ツイストロック式の緊締部９の挿嵌パイプ９ａに十字状に配置形成されたロックバー９ａを挿入した後、支柱ホルダー１０を９０度鉛直方向に回動することで緊締することができる。  
【００１９】
すなわち、緊締部９は、少なくとも、隅金具８のジョイント孔８ａに挿入可能で、挿入した後、直角（９０度）方向に回動させることで、ジョイント孔８ａの金具辺縁にその両端部が係止されるロックバー９ａと、このロックバー９ａを回動させるためのアーム（本考案では支柱ホルダー１０に相当する）とから構成されることを基本とし、ジャッキハンドル１１を回動さ操作してジャッキアップ又はジャッキダウンしてコンテナ１の床面を水平になるように調整するものであり、本考案の要旨となる構成部分である。
【産業上の利用可能性】
【００２０】
本考案に係る支持束は、上記したように、ジャッキ部とこれを隅金具に立設固定するためのツイストロックを最小の構成要件とする。したがって、ジャッキ部を上下動させるための駆動機構やロックバーの形状及びロックバーを回動させるアームの形態については任意である。また、既成のコンテナばかりでなく、隅金具を後付けした木造居室などの設置などにも十分応用することができ、所期の効果を得られるものであり、汎用性及び実用性が高い。
【符号の説明】
【００２１】
１  トレーラーハウスのコンテナ本体１ａ  ベースフレーム２  出入り口３    扉４    窓５    テーブル６    ソファー７    支持束８    隅金具８ａ  ジョイント孔９    緊締部（ツイストロック式）９ａ  ロックバー９ｂ  挿嵌パイプ１０  支柱ホルダー（アーム部）１０ａホルダー補強板１０ｂチャンネル鋼１１  ジャッキ用ハンドル１２  支柱ボルト１２ａ底板１３  リップ係止板
【図１】
0003229482.tif 000003
【図２】
0003229482.tif 000004
【図３】
0003229482.tif 000005
【図４】
0003229482.tif 000006
【図５】
0003229482.tif 000007